(57)【特許請求の範囲】
【請求項１】
一対のカバー構成部材を有すると共に前記カバー構成部材が下方に向けて開くようになっている絶縁カバーを架線に取り付けるための絶縁カバー架線取付用装置であって、
前記絶縁カバーの上部に上方から当接することで前記開いた状態の一対のカバー構成部材を閉じる方向に押すための押え部と、前記一対のカバー構成部材のいずれかのカバー構成部材の下側部位を挟持するための挟持機構とを備えると共に、
前記押え部と前記挟持機構との位置関係は、前記押え部が前記絶縁カバーの上部に当接する際には、前記挟持機構は前記カバー構成部材の下側部位よりも下側に位置し、前記挟持機構が前記カバー構成部材の下側部位を挟持する際には、前記押え部と前記絶縁カバーの上部との間に隙間が生ずるようになっていることを特徴とする絶縁カバー架線取付用装置。
【請求項２】
前記押え部は、前記絶縁カバーの上部に当接して２方向から押すための２つの当接部と前記２つの当接部の一方を下方から支持する支持部とで成ると共に、
前記挟持機構は、前記押え部の支持部と連結された不動の第１の挟持部材と、前記第１の挟持部材の軸受けホルダ部に軸部を挿通して前記第１の挟持部材に揺動自在に取り付けられた第２の挟持部材と、一方端が前記第１の挟持部材に連結され、他方端が前記第２の挟持部材に連結された弾性機構とで成り、
前記第２の挟持部材は、前記第１の挟持部材とで前記カバー構成部材の下側部位を挟持するための挟持部が前記軸部から延出していると共に、前記挟持部を前記カバー構成部材の下側部位に遠近させるための操作部が前記軸部から前記挟持部の延出方向とは異なる方向に延出しており、
前記操作部は、前記把持部が前記第１の挟持部材に近接する方向に付勢されるように、前記弾性機構の他方端と連結されていることを特徴とする請求項１に記載の絶縁カバー架線取付用装置。
【請求項３】
前記押え部と前記挟持機構とをそれぞれ２つ有して構成された絶縁カバー架線取付用装置であって、
前記２つの挟持機構をそれぞれ構成する前記第１の挟持部材の受け部から前記挟持部とは反対側に延出した延出部と、前記挟持機構の間に配置された台部とを有し、前記延出部の第１の挟持部材側とは反対側端が前記台部に固定され、
前記台部の延出部が固定された側と反対側に間接活線工具の連結部と連結するための連結部が設けられていることを特徴とする請求項２に記載の絶縁カバー架線取付用装置。
【請求項４】
前記２つの挟持機構を構成する一方の第２の挟持部材の操作部と他方の第２の挟持部材の操作部とが一体化されていると共に、前記操作部に間接活線工具で把持することが可能な把持部が設けられていることを特徴とする請求項３に記載の絶縁カバー架線取付用装置。
【請求項５】
前記押え部と前記挟持機構とをそれぞれ１つ有して構成された絶縁カバー架線取付用装置であって、
前記挟持機構を構成する前記第１の挟持部材の受け部から前記挟持部とは反対側に延出した延出部を有し、前記延出部の第１の挟持部材側とは反対側に間接活線工具の連結部と連結するための連結部が設けられていることを特徴とする請求項２に記載の絶縁カバー架線取付用装置。
【発明の詳細な説明】
【技術分野】
【０００１】
この発明は、引下線・その他の電線等の架線に絶縁カバーを取り付けるために間接活線作業で用いられる先端工具たる絶縁カバー架線取付用装置に関する。
【背景技術】
【０００２】
ジャンパスリーブカバー等の所定の絶縁カバーを架線又は架線及びコネクタ等の配電製品に装着する間接活線作業では、例えば特許文献１の図４から図９に示されるカバー押さえ装置が先端工具として用いられる。このカバー押さえ装置は、特許文献１では、板状のカバー押え部と、菊座アダプタと、共用操作棒等の間接活線工具のアタッチメント本体に接続するための接続アダプタとから構成されている。
【０００３】
そして、カバー押え部は、特許文献１の特に図４及び図５に示されるように、略逆Ｕ字形状の頂部位と、この頂部部位の端から下方に且つ対称になるように徐々に拡がりつつ延びる一対の拡がり部位とで構成されている。
【０００４】
そして、このような構成のカバー押さえ装置とすることにより、特許文献１の図１５及び図１６に示されるようなジャンパスリーブカバーでは、絶縁カバーの上部を押え部でガタツキなく挟持してカバー押さえ装置を絶縁カバーに取り付けた後、絶縁カバーが取り付けられたままカバー押さえ装置を架線に接近させて絶縁カバーを架線に乗せ、更に、カバー押え部の拡がり部位を利用して絶縁カバーの側面を押して徐々に閉じてゆき、絶縁カバーの下端部位同士が当接した状態とする。最後に、絶縁カバーの下端に設けた雄型ホックと雌型ホックとを絶縁ヤットコ等で連結することにより、絶縁カバーの閉状態が固定される。
【先行技術文献】
【特許文献】
【０００５】
【特許文献１】特開２０１０−４６５７号公報
【発明の概要】
【発明が解決しようとする課題】
【０００６】
もっとも、特許文献１に示される押え装置の押え部を、ジャンパスリーブカバー等のスリーブカバーの上部を挟持するのに最適な形状にした場合には、特許文献１の図１１に示されるような高圧引下線用コネクタカバーについては、押え金具の押え部のＵ字状の頂部位と拡がり部位とで絶縁カバーの上部をガタツキなく確実に挟むことが困難である。このため、前記コネクタカバーを架線に接近させる際に、押え部をスリーブカバーの上部を挟み込むのに最適な形状としたカバー押さえ装置を用いると、前記コネクタカバーが落下するおそれがある。従って、押え部をスリーブカバーの上部を挟み込むのに最適な形状としたカバー押え装置を用いる場合には、スリーブカバー以外の絶縁カバーについては、架線に接近させて架線に乗せる作業を絶縁ヤットコで行う必要が生じている。
【０００７】
そして、スリーブカバー以外の絶縁カバーを架線に接近させて架線に乗せる作業について、絶縁ヤットコで絶縁カバーの把持部を持って行う場合にも、作業者が操作レバーを握り込むことで、固定把持片側に可動把持片が揺動して、固定把持片と可動把持片とで絶縁カバーの把持部を把持するので、作業者の操作レバーを握る力が何らかの理由で緩むと、絶縁カバーが絶縁ヤットコから脱落して落下するおそれもある。
【０００８】
その一方で、絶縁カバーがスリーブカバーであって、押え装置の押え部をこのスリーブカバーの上部を挟むのに最適な形状とした場合でも、押え部の逆Ｕ字状の頂部位と拡がり部位という金具で上方からスリーブカバーを挟むのみであるから、スリーブカバーの挟持が必ずしも安定的とは言えず、スリーブカバーが取り付けられたまま押え装置を架線に接近させるときに、スリーブカバーが押え部から外れて落下するおそれがある。
【０００９】
そこで、本発明は、架線に装着される複数の種類の絶縁カバーに対応することが可能で、絶縁カバーを確実に挟んで把持して架線に安定した状態で接近させることができ、しかも絶縁カバーの挟持の解除も容易として、絶縁カバーの架線への取り付けを簡易に行うことができる絶縁カバー架線取付用装置を提供することを目的とする。
【課題を解決するための手段】
【００１０】
この発明に係る絶縁カバー架線取付用装置は、一対のカバー構成部材を有すると共に前記カバー構成部材が下方に向けて開くようになっている絶縁カバーを架線に取り付けるための絶縁カバー架線取付用装置であって、前記絶縁カバーの上部に上方から当接することで前記開いた状態の一対のカバー構成部材を閉じる方向に押すための押え部と、前記一対のカバー構成部材のいずれかのカバー構成部材の下側部位を挟持するための挟持機構とを備えると共に、前記押え部と前記挟持機構との位置関係は、前記押え部が前記絶縁カバーの上部に当接する際には、前記挟持機構は前記カバー構成部材の下側部位よりも下側に位置し、前記挟持機構が前記カバー構成部材の下側部位を挟持する際には、前記押え部と前記絶縁カバーの上部との間に隙間が生ずるようになっていることを特徴としている（請求項１）。架線は、例えば引下線、高圧配電線等である。また、絶縁カバーは、例えば各種スリーブカバー、引下線用コネクタカバー等である。
【００１１】
これにより、一対のカバー構成部材の下方が開いた状態の絶縁カバーについて、一方のカバー構成部材の下側部位をまず絶縁カバー架線取付用装置の挟持機構で挟持して、絶縁カバーを架線に近接させて、絶縁カバーの一方のカバー構成部材と他方のカバー構成部材との間の所要の位置に架線が位置するようにした後、絶縁カバー架線取付用装置を下方に変位させることで、押え部が絶縁カバーの上部に上方から当接し、更に一対のカバー構成部材の双方を閉じる方向に押すので、本発明の絶縁カバー架線取付用装置を主体的に用いて、開いた状態の絶縁カバーを架線に接近させる作業と絶縁カバーを閉じる作業との一連の作業を行うことができる。しかも、開いた状態の絶縁カバーを架線に接近させて架線に乗せるまでの間、絶縁カバーの上部に押え金具を引き掛けて挟持するのではなく、絶縁カバーの下側部位を挟持するので、安定した状態にて絶縁カバーを架線に接近させることが可能となる。そして、絶縁カバー架線取付用装置を下方に変位させるのみで、挟持機構が絶縁カバーの下側部位よりも下方にずれて絶縁カバーの下側部位の挟持が解除されるので、絶縁カバーの下側部位の挟持を外すための作業が不要となる。
【００１２】
この発明に係る絶縁カバー架線取付用装置についてより具体的には、前記押え部は、前記絶縁カバーの上部に当接して２方向から押すための２つの当接部と前記２つの当接部の一方を下方から支持する支持部とで成ると共に、前記挟持機構は、前記押え部の支持部と連結された不動の第１の挟持部材と、前記第１の挟持部材の軸受けホルダ部に軸部を挿通して前記第１の挟持部材に揺動自在に取り付けられた第２の挟持部材と、一方端が前記第１の挟持部材に連結され、他方端が前記第２の挟持部材に連結された弾性機構とで成り、前記第２の挟持部材は、前記第１の挟持部材とで前記カバー構成部材の下側部位を挟持するための挟持部が前記軸部から延出していると共に、前記挟持部を前記カバー構成部材の下側部位に遠近させるための操作部が前記軸部から前記挟持部の延出方向とは異なる方向に延出しており、前記操作部は、前記把持部が前記第１の挟持部材に近接する方向に付勢されるように、前記弾性機構の他方端と連結されていることを特徴としている（請求項２）。弾性機構は、例えばコイルバネ等である。
【００１３】
これにより、挟持機構の第１の挟持部材がカバー構成部材の側方外面に当接し、挟持機構の第２の挟持部材の挟持部がカバー構成部材の下側部位の合せ面に当接し、更に、挟持機構の弾性機構により第２の挟持部材の把持部を第１の挟持部材側に押圧するので、絶縁カバーの下側部位を第１の挟持部材と第２の把持部材の把持部とで確実に挟持することができる。
【００１４】
ここで、この発明に係る絶縁カバー架線取付用装置は、前記押え部と前記挟持機構とをそれぞれ２つ有して構成された絶縁カバー架線取付用装置であって、前記２つの挟持機構をそれぞれ構成する前記第１の挟持部材の受け部から前記挟持部とは反対側に延出した延出部と、前記挟持機構の間に配置された台部とを有し、前記延出部の第１の挟持部材側とは反対側端が前記台部に固定され、前記台部の延出部が固定された側と反対側に間接活線工具の連結部と連結するための連結部が設けられていることを特徴としている（請求項３）。ここで示される間接活線工具は、例えば共用操作棒等である。
【００１５】
これにより、絶縁カバー架線取付用装置を間接活線工具の先端工具として用いることが可能となると共に、絶縁カバーの下側部位に対し２つの挟持機構により２箇所で挟持することができるので、より安定した状態にて絶縁カバーを架線に接近させ架線に乗せることが可能となる。
【００１６】
そして、この発明に係る絶縁カバー架線取付用装置は、前記２つの挟持機構を構成する一方の第２の挟持部材の操作部と他方の第２の挟持部材の操作部とが一体化されていると共に、前記操作部に間接活線工具で把持することが可能な把持部が設けられていることを特徴としている（請求項４）。ここで示される間接活線工具は、例えば絶縁ヤットコ等の把持用間接活線工具である。
【００１７】
これにより、２つの挟持機構の第２の挟持部材の挟持部が第１の挟持部材から離れる方向に第２の挟持部材を揺動させるときに、２つの挟持機構の操作部を１つに共通化させることで、２つの第２の挟持部材を揺動させる操作を同時に行うことが可能となる。
【００１８】
ここで、この発明に係る絶縁カバー架線取付用装置は、前記押え部と前記挟持機構とをそれぞれ１つ有して構成された絶縁カバー架線取付用装置であって、前記挟持機構を構成する前記第１の挟持部材の受け部から前記挟持部とは反対側に延出した延出部を有し、前記延出部の第１の挟持部材側とは反対側に間接活線工具の連結部と連結するための連結部が設けられていることを特徴としている（請求項５）。
【００１９】
これにより、絶縁カバー架線取付用装置を間接活線工具の先端工具として用いることが可能となると共に、絶縁カバー架線取付用装置の形状が相対的に小さくなるので、作業環境が狭い場所でもの発明に係る絶縁カバー架線取付用装置を用いることが可能となる。
【発明の効果】
【００２０】
以上のように、この発明の絶縁カバー架線取付用装置によれば、絶縁カバーを架線に接近させる作業の段階では、一対のカバー構成部材の下方が開いた状態の絶縁カバーに対し、一方のカバー構成部材の下側部位を絶縁カバー架線取付用装置の挟持機構で挟持して、絶縁カバーを架線に近接させ、更には、絶縁カバーの一方のカバー構成部材と他方のカバー構成部材との間に架線が位置するようにすることができるので、この発明の絶縁カバー架線取付用装置を主体的に用いながら、安定した状態にて絶縁カバーを架線に接近させて架線に乗せるまでの作業を行うことが可能となる。
次に、絶縁カバーのカバー構成部材を閉じる作業の段階では、絶縁カバー架線取付用装置を下方に変位させることで、押え部が絶縁カバーの上部に上方から当接し、更に一対のカバー構成部材の双方を閉じる方向に押すので、本発明の絶縁カバー架線取付用装置を主体的に用いながら、絶縁カバーの一対のカバー構成部材の下方を閉じる作業を行うことが可能となると共に、絶縁カバー架線取付用装置を下方に変位させるのみで、挟持機構が絶縁カバーの下側部位よりも下方にずれて絶縁カバーの下側部位の挟持が解除されるので、絶縁カバーの下側部位の挟持を外すための作業も不要とすることができる。
【００２１】
特に請求項２に記載の発明によれば、挟持機構の第１の挟持部材をカバー構成部材の側方外面に当接させ、挟持機構の第２の挟持部材の挟持部をカバー構成部材の下側部位の合せ面に当接させ、しかも、挟持機構の弾性機構により第２の挟持部材の把持部に第１の挟持部材側に押圧する付勢力がはたらくので、絶縁カバーの下側部位を第１の挟持部材と第２の把持部材の把持部とで確実に挟持することができる。
また、第２の挟持部材の操作部を操作することで、第２の挟持部材の挟持部を第１の挟持部材から離す方向に揺動させることができるので、カバー構成部材の下側部位を挟持する際に、操作部を持って挟持部の先端が第１の挟持部材から離れる方向に挟持部を傾けた状態とし、カバー構成部材の下側部位の両側に挟持部と第１の挟持部材とが位置した場合に、操作部を離して、弾性機構の付勢力を利用して、挟持部と第１の挟持部材とでカバー構成部材の下側部位を挟持するようにすることが可能となる。
【００２２】
特に請求項３に記載の発明によれば、間接活線工具の連結部と連結するための連結部を有するため、この発明に係る絶縁カバー架線取付用装置を間接活線工具の先端工具として用いることが可能となると共に、２つの挟持機構を有するため絶縁カバーの下側部位を２箇所で挟持することができるので、より安定した状態にて絶縁カバーを架線に接近させ架線に乗せるまでの作業を行うことが可能となり、絶縁カバーが落下する事故を防止することができる。
【００２３】
特に請求項４に記載の発明によれば、２つの挟持機構の第２の挟持部材の挟持部が第１の挟持部材から離れる方向に第２の挟持部材を揺動させるときに、２つの挟持機構の操作部を１つに共通化させることで、２つの第２の挟持部材を揺動させる操作を同時に行うことが可能となるので、絶縁カバーの下側部位をこの発明の絶縁カバー架線取付用装置の挟持機構で挟持する作業を簡略化させることができる。
【００２４】
特に請求項５に記載の発明によれば、絶縁カバー架線取付用装置を間接活線工具の先端工具として用いることが可能となると共に、絶縁カバー架線取付用装置の形状が相対的に小さくなるので、作業環境が狭い場所でもの発明に係る絶縁カバー架線取付用装置を用いることが可能となる。
【図面の簡単な説明】
【００２５】
【図１】図１は、この発明に係る絶縁カバー架線取付用装置のうち、押え部及び挟持部が各１つである実施例１に係る絶縁カバー架線取付用装置の全体構成を示す斜視図である。
【図２】図２（ａ）は、前記実施例１に係る絶縁カバー架線取付用装置の全体構成を示す側面図であり、図２は、前記実施例１に係る絶縁カバー架線取付用装置の挟持部の構成を示す拡大断面図である。
【図３】図３は、前記実施例１に係る絶縁カバー架線取付用装置をスリーブカバーに対し挟持部を利用して取り付けた後、前記実施例１に係る絶縁カバー架線取付用装置を架線に向けて接近させようとする状態を示す説明図である。
【図４】図４（ａ）は、前記実施例１に係る絶縁カバー架線取付用装置を、スリーブカバーの構成部材間に架線が配されるように、変位させた状態を示す説明図であり、図４（ｂ）は、前記実施例１に係る絶縁カバー架線取付用装置を下方に変位させて、押え部によりスリーブカバーの構成部材を閉じた状態を示す説明図である。但し、スリーブカバーのホック部は挟持機構を見せるために省略してある。
【図５】図５は、この発明に係る絶縁カバー架線取付用装置のうち、押え部及び挟持部が各２つの実施例２に係る絶縁カバー架線取付用装置の全体構成を示す斜視図である。
【図６】図６は、前記実施例２に係る絶縁カバー架線取付用装置を引下線用コネクタカバーに対し挟持部を利用して取り付けた後、前記実施例２に係る絶縁カバー架線取付用装置を架線に向けて接近させようとする状態を示す説明図である。
【図７】図７（ａ）は、前記実施例２に係る絶縁カバー架線取付用装置を、引下線用コネクタカバーの構成部材間に架線が配されるように、変位させた状態を示す説明図であり、図７（ｂ）は、前記実施例２に係る絶縁カバー架線取付用装置を下方に変位させて、押え部により引下線用コネクタカバーの構成部材を閉じた状態を示す説明図である。
【発明を実施するための形態】
【００２６】
以下、この発明の実施形態を図面に基づいて説明する。
【実施例１】
【００２７】
図１から図４に示される実施例１では、この発明に係る絶縁カバー架線取付用装置１のうち、下記する押え部２、挟持機構３がそれぞれ１つのタイプの一例が示されている。
【００２８】
この絶縁カバー架線取付用装置１は、図３、図４に示す絶縁カバー１００の上部に上方から当接することで開いた状態のカバー構成部材１０１、１０２を閉じる方向に押すための押え部２と、カバー構成部材１０１、１０２のいずれかのカバー構成部材（この実施例１ではカバー構成部材１０２）の下側部位を挟持するための挟持機構３とを備えている。
【００２９】
尚、図３、図４に示す絶縁カバー１００は、スリーブカバーの一種の高圧分岐スリーブカバーであり、絶縁カバー１００の上部に位置するヒンジ部１０３と、このヒンジ部１０３に揺動自在に取り付けられて、下方に向けて開くようになっているカバー構成部材１０１、１０２と、カバー構成部材１０１とカバー構成部材１０２との下側部位を閉じるホック部１０４とで構成されている。
【００３０】
押え部２は、特に図１及び図２に示されるように、斜め下方に延びる板状の当接部２１と、一方端が当接部２１の頂部と連接しつつ当接部２１とは対称となるように斜め下方に延びる板状の当接部２２とを有し、当接部２１と当接部２２とで略逆Ｖ字状の形状を成していると共に、当接部２２の下方側と連接する板状の支持部２３を更に有したものとなっている。そして、当接部２１と当接部２２とが交差する部位の角度は、図４（ｂ）に示されるように、絶縁カバー１００のヒンジ部１０３が当接部２１と当接部２２とが交差する部位の内側面に当接したときに、カバー構成部材１０１の上部の外面とカバー構成部材１０２の上部お外面との双方に確実に相対的に広範囲にて当接することができるように設定されている。支持部２３は、絶縁カバー１００のヒンジ部１０３に当接部２１と当接部２２とが交差する部位の内側面が当接した状態のときに下方（より好ましくは真下）に延びるものとなっている。
【００３１】
挟持機構３は、特に図１及び図２に示されるように、押え部２の支持部２３の下方側と連結された挟持部材３１と、挟持部材３１に揺動自在に取り付けられた挟持部材３２と、一方端が挟持部材３１の下記する傾斜部３１ｂに連結され、他方端が挟持部材３２の下記する操作部３２ｃに連結されたコイルバネ３３とを有している。
【００３２】
このうち、挟持部材３１は、この実施例１では支持部２３と連接し且つ支持部２３と同じ方向に直線的に延びる板状の立部３１ａと、立部３１ａのうち支持部２３とは反対側に連接した板状の傾斜部３１ｂと、傾斜部３１ｂのうち立部３１ａとは反対側に設けられた軸受けホルダ部３１ｃ、３１ｃとで構成されているもので、下記する延出部４及び連結部５に対し不動のものとなっている。各軸受けホルダ部３１ｃは、傾斜部３１ｂの端部に一体化されており、他方の軸受けホルダ部３１ｃ側に開口した凹部と、下記する軸部３２ａが軸支される通孔とが形成されている。そして、軸受けホルダ部３１ｃの位置は、絶縁カバー１００のヒンジ部１０３に当接部２１と当接部２２とが交差する部位の内側面が当接した状態のときに、当接部２１と当接部２２とが交差する部位の真下になるようになっている。更に、軸受けホルダ部３１ｃと軸受けホルダ部３１ｃとの間は、下記する挟持部３２ｂ、操作部３２ｃが突出すると共に軸部３２ａを回転中心として所要範囲にて回転（揺動）することができるように切り欠かれている。
【００３３】
これに対し、挟持部材３２は、特に図２（ｂ）に示されるように、両端が挟持部材３１の軸受けホルダ部３１ｃ、３１ｃに回転自在に装着される円柱状の軸部３２ａと、軸部３２ａの側面から延出した板状の挟持部３２ｂと、軸部３２ａの側面から延出した板状の操作部３２ｃとで構成されている。
【００３４】
挟持部３２ｂは、軸部３２ａの径方向に沿って直線状に延出しても良いが、この実施例１では、カバー構成部材１０２の下側部位の合せ面に確実に当接することができるように、軸部３２ａから径方向に沿って斜めに延出した後、真上に向かって直線状に延出したものとなっている。そして、挟持部３２ｂの先端にはカバー構成部材１０２の下側部位の合せ面と噛み合うために、例えば略三角形状の突部が複数形成されている。
【００３５】
操作部３２ｃは、挟持部３２ｂが挟持部材３１の傾斜部３１ｂよりも上方に位置する場合に、挟持部材３１の傾斜部３１ｂよりも下方となるように、軸部３２ａから当該軸部３２ａの径方向に沿って直線状に延びているもので、図２（ｂ）に示されるように、挟持部３２ｂとで略Ｌ字形状をなしている。そして、この実施例１では、操作部３２ｃの延出方向の先端に絶縁ヤットコ等の把持用間接活線工具で把持することができる把持部６を有している。この把持部６は、絶縁ヤットコ等の把持用間接活線工具で下側から把持しやすくするために、操作部３２ｃが水平又は水平に近い横方向を向いているときに下方に延びるように設けられている。
【００３６】
コイルバネ３３は、螺旋状に巻回された形状のもので、特に図２（ｂ）に示されるように、一端が挟持部材３１の傾斜部３１ｂの外側面（挟持部３２ｂとは反対側面）に連結されていると共に、他端が挟持部材３２の操作部３２ｃの上面（挟持部材３１の傾斜部３１ｂの側面）に連結されている。そして、コイルバネ３３は、操作部３２ｃを傾斜部３１ｂから離れる方向、すなわち、挟持部３２ｂを挟持部材３１の立部３１ａに近接する方向に付勢したものとなっている。
【００３７】
そして、挟持部材３１の軸受けホルダ部３１ｃ、３１ｃより下側に向けて延出した延出部４が設けられ、この延出部４の下側端には図３、図４に示される共用操作棒３００の連結部と連結するための連結部５が設けられている。
【００３８】
次に、このような構成の絶縁カバー架線取付用装置１を用いて架線２００に絶縁カバー１００を取り付ける工程について、図３及び図４を用いて説明する。
【００３９】
まず、連結部５に共用操作棒３００の連結部を装着してから、把持部６を絶縁ヤットコ（図示せず）で把持して操作部３２ｃを挟持部材３１の傾斜部３１ｂ側に押して、挟持部３２ｂが挟持部材３１の立部３１ａから離れた状態、すなわち挟持部３２ｂと挟持部材３１の立部３１ａとが開いた状態とし、この挟持部３２ｂと挟持部材３１の立部３１ａとを、カバー構成部材１０１、カバー構成部材１０２が下方に向けて開いた状態のカバー１００に対し、カバー構成部材１０２の下側部位の外面と合せ面とに対し両側となる位置に配する。
【００４０】
次に、絶縁ヤットコを外してコイルバネ３３の付勢力により挟持部３２ｂと挟持部材３１の立部３１ａとでカバー構成部材１０２の下側部位を挟持する。このとき、押え部２の当接部２１、２２は絶縁カバー１００の上部に当接しておらず、所要の寸法で隙間が開いている。
【００４１】
そして、図３に示されるように、挟持部３２ｂと挟持部材３１の立部３１ａとでカバー構成部材１０２の下側部位を挟持したまま、絶縁カバー架線取付用装置１を架線２００に接近させ、更に、図４（ａ）に示されるように、カバー構成部材１０１とカバー構成部材１０２との間の所要の位置に架線２００が成るように、すなわち、絶縁カバー１００が架線２００に乗るように、絶縁カバー架線取付用装置１を左右方向等に適宜変位させる。
【００４２】
最後に、図４（ａ）の白抜き矢印に示されるように、絶縁カバー架線取付用装置１を下方に変位させる。これにより、押え部２の当接部２１と当接部２２とが絶縁カバー１００の上部に当接した後、更に当接部２１と当接部２２とでカバー構成部材１０１、１０２を上方から絶縁カバー１００の幅方向の中央に向けて押圧し続けるので、カバー構成部材１０１、１０２の下方が閉じていく。そして、挟持機構３の挟持部材３２の挟持部３２ｂはカバー構成部材１０１、１０２の下側部位よりも下方に変位するので、挟持機構３によるカバー構成部材１０２の下側部位の挟持も解除される。絶縁カバー架線取付用装置１を下方に変位させるとき、把持部６を絶縁ヤットコ（図示せず）で把持して操作部３２ｃを挟持部材３１の傾斜部３１ｂ側に押して、挟持部３２ｂと挟持部材３１の立部３１ａとが開いた状態としても良く、これにより、挟持機構３によるカバー構成部材１０２の下側部位の挟持がより円滑に解除される。
【００４３】
以上によれば、絶縁カバー架線取付用装置１の挟持機構３の挟持部材３１の立部３１ａと挟持部材３２の挟持部３２ｂとで、挟持部３２ｂがコイルバネ３３の付勢力で間に挟んだ絶縁カバー１００のカバー構成部材１０２の下側部位を立部３１ａ側に押圧するかたちで挟持することができるので、絶縁カバー１００を確実に挟持することが可能となり、絶縁カバー１００が挟持された状態で絶縁カバー架線取付用装置１を架線２００に接近させ、絶縁カバー１００を架線２００に乗せようとするときに、絶縁カバー１００が外れて落下するのを防止することが可能となる。
【実施例２】
【００４４】
図５から図７に示される実施例２では、この発明に係る絶縁カバー架線取付用装置１のうち、押え部２が２つ、挟持機構３が２つのタイプの一例が示されている。
【００４５】
この絶縁カバー架線取付用装置１は、図６、図７に示す絶縁カバー１００の上部に上方から当接することで開いた状態のカバー構成部材１０１、１０２を閉じる方向に押すための２つの押え部２、２と、カバー構成部材１０１、１０２のいずれかのカバー構成部材（この実施例１ではカバー構成部材１０２）の下側部位を挟持するための２つの挟持機構３、３とを備えている。
【００４６】
尚、図６、図７に示す絶縁カバー１００は、引下線用コネクタカバーであり、絶縁カバー１００の上部に位置するヒンジ部１０３と、このヒンジ部１０３に揺動自在に取り付けられて、下方に向けて開くようになっているカバー構成部材１０１、１０２と、カバー構成部材１０１とカバー構成部材１０２との下側部位を閉じるホック部１０４とで構成されていると共に、カバー構成部材１０１、１０２の架線に沿った方向の中央部位に突出部１０５を有している。
【００４７】
２つの押え部２は、図５に示されるように、いずれも斜め下方に延びる板状の当接部２１と、一方端が当接部２１の頂部と連接しつつ当接部２１とは対称となるように斜め下方に延びる板状の当接部２２とを有し、当接部２１と当接部２２とで略逆Ｖ字状の形状を成していると共に、当接部２２の下方側と連接する板状の支持部２３を更に有したものとなっている。そして、当接部２１と当接部２２とが交差する部位の角度は、図７（ｂ）に示されるように、絶縁カバー１００のヒンジ部１０３が当接部２１と当接部２２とが交差する部位の内側面に当接したときに、カバー構成部材１０１の上部の外面とカバー構成部材１０２の上部お外面との双方に確実に相対的に広範囲にて当接することができるように設定されている。支持部２３は、絶縁カバー１００のヒンジ部１０３に当接部２１と当接部２２とが交差する部位の内側面が当接した状態のときに下方（真下）に延びるものとなっている。
【００４８】
各挟持機構３は、図５に示されるように、それぞれにおいて、押え部２の支持部２３の下方側と連結された挟持部材３１、３１と、挟持部材３１に揺動自在に取り付けられ、少なくとも挟持部３２ｂが別々である挟持部材３２、３２と、一方端が挟持部材３１の下記する傾斜部３１ｂに連結され、他方端が挟持部材３２の下記する操作部３２ｃに連結されたコイルバネ３３、３３とを有している。
【００４９】
このうち、挟持部材３１は、この実施例２でも、支持部２３と連接し且つ支持部２３と同じ方向に直線的に延びる板状の立部３１ａと、立部３１ａのうち支持部２３とは反対側に連接した板状の傾斜部３１ｂと、傾斜部３１ｂのうち立部３１ａとは反対側に設けられた軸受けホルダ部３１ｃ、３１ｃとで構成されているもので、下記する延出部４及び連結部５に対し不動のものとなっている。そして、軸受けホルダ部３１ｃの形状は、実施例１と同様であると共に、その位置も、実施例１と同様に、絶縁カバー１００のヒンジ部１０３に当接部２１と当接部２２とが交差する部位の内側面が当接した状態のときに、当接部２１と当接部２２とが交差する部位の真下になるようになっている。また、一方の挟持部材３１の軸受けホルダ部３１ｃと他方の挟持部材３１の軸受けホルダ部３１ｃとは、軸棒２３ｃが軸支される孔が同軸線上に並ぶようになっている。更に、軸受けホルダ部３１ｃと軸受けホルダ部３１ｃとの間は、下記する挟持部３２ｂ、操作部３２ｃが突出すると共に軸部３２ａを回転中心として所要範囲にて回転（揺動）することができるように切り欠かれている。
【００５０】
挟持部材３２は、両端が挟持部材３１の軸受けホルダ部３１ｃ、３１ｃに回転自在に装着される円柱状の軸部３２ａと、軸部３２ａの側面から延出した板状の挟持部３２ｂと、軸部３２ａの側面から延出した板状の操作部３２ｃとで構成されている点、並びに、挟持部３２ｂが、それぞれの挟持機構３、３において、カバー構成部材１０２の下側部位の合せ面に確実に当接することができるように、軸部３２ａから径方向に沿って斜めに延出した後、真上に向かって直線状に延出したものとなっている点では、実施例１に示される挟持部材３２と同様である。
【００５１】
その一方で、軸部３２ａは、図５に示されるように、一方の挟持機構３が有する挟持部材３２と他方の挟持機構３が有する挟持部材３２とで共用となるように１の円柱状の棒体となっており、これに伴い、２つの挟持部材３１の双方の軸受けホルダ部３１ｃに軸支されている。また、操作部３２ｃは、挟持部３２ｂが挟持部材３１の傾斜部３１ｂよりも上方に位置する場合に、挟持部材３１の傾斜部３１ｂよりも下方となるように、軸部３２ａから当該軸部３２ａの径方向に沿って直線状に延びており、挟持部３２ｂとで略Ｌ字形状をなしている点では実施例１と同様であるが、図５に示されるように、一方の挟持機構３が有する挟持部材３２と他方の挟持機構３が有する挟持部材３２とで１つの板状となるように一体化されている。そして、操作部３２ｃの挟持部３２ｂと挟持部３２ｂとの中間となる部位において、軸部３２ａからの延出方向の先端に絶縁ヤットコ等の把持用間接活線工具で把持することができる把持部６を１つ有している。この把持部６は、絶縁ヤットコ等の把持用間接活線工具で下側から把持しやすくするために、操作部３２ｃが水平又は水平に近い横方向を向いているときに下方に延びるように設けられている。
【００５２】
コイルバネ３３は、実施例１と同様の螺旋状に巻回された形状をなすもので、それぞれの挟持機構３が備えおり、実施例１と同様に、一端が挟持部材３１の傾斜部３１ｂの外側面（挟持部３２ｂとは反対側面）に連結されていると共に、他端が挟持部材３２の操作部３２ｃの上面（挟持部材３１の傾斜部３１ｂの側面）に連結されている。そして、このコイルバネ３３も、操作部３２ｃを傾斜部３１ｂから離れる方向、すなわち、挟持部３２ｂを挟持部材３１の立部３１ａに近接する方向に付勢したものとなっている。
【００５３】
尚、図示しないが、各挟持機構３の挟持部材３２が備える軸部３２ａや操作部３２ｃについて、２つの挟持機構３、３との間で共用化せずに、実施例１での説明と同様に、挟持部材３２が別体にて軸部３２ａや操作部３２ｃを備えるものとしても良い。
【００５４】
そして、双方の挟持部材３１の軸受けホルダ部３１ｃ、３１ｃよりそれぞれ下側に向けて延出した延出部４が設けられており、この延出部４の下側端は台部７と連結している。すなわち、台部７は、２つの挟持機構３、３間にわたって延びるように架設されている。そして、台部７の延出部４が設けられた反対側には、柱状部材７１を介して、図６、図７に示される共用操作棒３００の連結部と連結するための連結部５が設けられている。
【００５５】
次に、このような構成の絶縁カバー架線取付用装置１を用いて架線２００に絶縁カバー１００を取り付ける工程について、図６及び図７を用いて説明する。
【００５６】
まず、連結部５に共用操作棒３００の連結部を装着してから、把持部６を絶縁ヤットコで把持して操作部３２ｃを挟持部材３１の傾斜部３１ｂ側に押して、双方の挟持機構３において、挟持部３２ｂと挟持部材３１の立部３１ａとが開いた状態とする。これにより、２つの挟持部３２ｂを１つの絶縁ヤットコで操作することが可能である。
【００５７】
そして、いずれの挟持部３２ｂと挟持部材３１の立部３１ａとについても、カバー構成部材１０１、カバー構成部材１０２が開いた状態の絶縁カバー１００に対し、カバー構成部材１０２の下側部位の外面と合せ面とに対し両側となる位置に配する。
【００５８】
更に、絶縁ヤットコを外してコイルバネ３３の付勢力により挟持部３２ｂと挟持部材３１の立部３１ａとでカバー構成部材１０２の下側部位を挟持する。このとき、カバー構成部材１０２の下側部位は、２箇所で挟持された状態となる。また、押え部２の当接部２１、２２は絶縁カバー１００の上部に当接しておらず、所要の寸法で隙間が開いた状態にある。
【００５９】
更にまた、図６に示されるように、挟持部３２ｂと挟持部材３１の立部３１ａとでカバー構成部材１０２の下側部位を２箇所にて挟持したまま、絶縁カバー架線取付用装置１を架線２００に接近させ、更に、図７（ａ）に示されるように、カバー構成部材１０１とカバー構成部材１０２との間の所要の位置に架線２００が成るように、すなわち、絶縁カバー１００が架線２００に乗るように、絶縁カバー架線取付用装置１を左右方向等に適宜変位させる。
【００６０】
最後に、図７（ａ）の白抜き矢印に示されるように、絶縁カバー架線取付用装置１を下方に変位させる。これにより、２つの押え部２のそれぞれの当接部２１と当接部２２とが絶縁カバー１００の上部に当接した後、更にそれぞれの当接部２１と当接部２２とでカバー構成部材１０１、１０２を上方から絶縁カバー１００の幅方向の中央に向けて押圧し続けるので、カバー構成部材１０１、１０２の下方がより閉じていく。そして、挟持機構３の挟持部材３２の挟持部３２ｂは、いずれもカバー構成部材１０１、１０２の下側部位よりも下方に変位するので、挟持機構３によるカバー構成部材１０２の下側部位の挟持も解除される。尚、絶縁カバー架線取付用装置１を下方に変位させるときに、把持部６を絶縁ヤットコで把持して操作部３２ｃを挟持部材３１の傾斜部３１ｂ側に押して、挟持部３２ｂと挟持部材３１の立部３１ａとが開いた状態としても良く、これにより、挟持機構３によるカバー構成部材１０２の下側部位の挟持がより円滑に解除される。
【００６１】
以上によれば、実施例２に示す絶縁カバー架線取付用装置１でも、挟持機構３の挟持部材３１の立部３１ａと挟持部材３２の挟持部３２ｂとで、挟持部３２ｂがコイルバネ３３の付勢力で間に挟んだ絶縁カバー１００のカバー構成部材１０２の下側部位を立部３１ａ側に押圧するかたちで挟持することができるので、絶縁カバー１００を確実に挟持することが可能となり、絶縁カバー１００が挟持された状態で絶縁カバー架線取付用装置１を架線２００に接近させ、絶縁カバー１００を架線２００に乗せようとするときに、絶縁カバー１００が外れて落下するのを防止することが可能となる。  
【００６２】
しかも、実施例２に示す絶縁カバー架線取付用装置１では、絶縁カバー１００を２箇所で挟持することができるので、絶縁カバー１００が引下線用コネクタカバーであって長手方向の中央に突出部１０５を有していても、この突出部１０５を避けて挟持することが可能である。また、絶縁カバー１００が高圧分岐スリーブカバー等の突出部を有しないスリーブカバーの場合でも、２箇所で挟持することができるので、安定した状態にて絶縁カバー１００を架線２００に接近させる等の作業を行うことが可能である。
【００６３】
尚、絶縁カバー架線取付用装置１は、絶縁カバーに対し上方からではなく、一方のカバー構成部材の下側部位を挟持機構３で挟持するものとなっているため、上縁が水平方向に対し斜めに延びる高圧引留クランプカバーにおいても、絶縁カバー架線取付用装置１の挟持機構３でクランプカバーの一方のカバー構成部材の下側部位を挟持することが可能であるので、高圧引留クランプカバーを架線２００に接近させ架線２００に乗せる作業に使用することが可能である。
【符号の説明】
【００６４】
１  絶縁カバー架線取付用装置
２  押え部
２１  当接部
２２  当接部
２３  支持部
３  挟持機構
３１  挟持部材（第１の挟持部材）
３１ａ  立部
３１ｂ  傾斜部
３２  挟持部材（第２の挟持部材）
３２ａ  軸部
３２ｂ  挟持部
３２ｃ  操作部
３３  コイルバネ（弾性機構）
４  延出部
５  連結部
６  把持部
７  台部
１００  絶縁カバー
１０１  カバー構成部材
１０２  カバー構成部材
１０３  ヒンジ部１０３
１０４  ホック部
１０５  突出部
２００  架線
３００  共用操作棒（間接活線工具）
【要約】
【課題】架線に装着される多種類の絶縁カバーに対応可能としつつ絶縁カバーを確実に挟持して架線に安定した状態で接近させられるようにして、絶縁カバーの架線への取り付けの簡易化を図った絶縁カバー架線取付用装置を提供する。
【解決手段】絶縁カバー架線取付用装置１は、下方が開く絶縁カバー１００を架線２００に取り付けるためのもので、押え部２と挟持機構３とを各２つ有して構成されている。押え部２は、絶縁カバー１００の上部に上方から当接部２１、２２を当接させることでカバー構成部材１０１、１０２の下方を閉じる方向に押圧することができ、挟持機構３は、挟持部材３１と挟持部材３２とにより、コイルバネ３３の付勢力にてカバー構成部材１０２の下側部位を挟持することができる。そして、押え部２と挟持機構３とは、押え部２で絶縁カバー１００の上部を押圧する時に、挟持機構３によるカバー構成部材１０２の挟持が解除される位置関係になっている。
【選択図】図７【図１】
0005578587.tif 000002
【図２】
0005578587.tif 000003
【図３】
0005578587.tif 000004
【図４】
0005578587.tif 000005
【図５】
0005578587.tif 000006
【図６】
0005578587.tif 000007
【図７】
0005578587.tif 000008